(57)【要約】【課題】従来懸念されていたシール不良の発生を回避可能で、かつ現場での施工が容易なヘッダーユニットを提供する。【解決手段】ヘッダーユニット３２は、工場にて分岐管２８の一端がヘッダー本体２６に接続され、他端がコネクターソケット２２に接続されているので、傷付いた分岐管２８を施工現場にてヘッダー本体２６やコネクターソケット２２に接続する際に懸念となるシール不良を回避でき、また、施工現場での接続作業を減らすことができる。【選択図】図１
2009256940.tif 000002
【特許請求の範囲】
【請求項１】
流入された流体を分岐配分するヘッダー本体と、分岐管と、を備え、
前記分岐管は、一端が前記ヘッダー本体に接続され、他端が前記分岐管を挿入することで接続が完了される第１のワンプッシュ継手に接続されている、ことを特徴とするヘッダーユニット。
【請求項２】
前記ヘッダー本体には、前記分岐管の一端を挿入することで接続が完了されるワンプッシュ継手部が設けられており、
前記分岐管は、一端がワンプッシュ継手部に挿入されて前記ヘッダー本体と接続されている、ことを特徴とする請求項１に記載のヘッダーユニット。
【請求項３】
前記ヘッダー本体は、分岐配分された流体を排出する分岐排出管を備え、
前記分岐管の一端には、一端側に前記分岐管の一端を挿入することで前記分岐管との接続が完了し、他端側に前記分岐排出管を挿入することで前記分岐排出管との接続が完了する第２のワンプッシュ継手部が配置され、
前記分岐管は、前記第２のワンプッシュ継手部を介して前記ヘッダー本体に接続されている、ことを特徴とする請求項１に記載のヘッダーユニット。
【発明の詳細な説明】
【技術分野】
【０００１】
本発明は、ヘッダーユニットに係り、特に、ヘッダー本体に予め分岐管を接続したヘッダーユニットに関する。
【背景技術】
【０００２】
従来、主に住宅用として使用される配管としては銅管やステンレス管、塩ビライニング鋼管等の金属配管やポリブテン管、架橋ポリエチレン配管等に代表される可撓性の高い樹脂配管が存在した。
【０００３】
近年では、曲げ施工の容易性から樹脂配管が主流になりつつある。
また、その配管の継手として、カシメ継手、融着継手、配管をカットして差し込むだけで接続が完了する所謂ワンプッシュ継手が存在したが、これらも施工性の高さからワンプッシュタイプの継手が主流になりつつある。
【０００４】
ワンプッシュタイプの継手としては、例えば特許文献１に開示されている構造のものが知られている。この種のワンプッシュタイプの継手では、継手内面側にＯリング等のシール部材、及び配管を保持する保持部材が設けられており、配管を開口部分から挿入(ワンプッシュ）すると、シール部材が配管の外周面に密着してシールを行い、また、保持部材が配管の抜けを防止するようになっている。
【特許文献１】特開２００４−２０４６５９号公報
【発明の開示】
【発明が解決しようとする課題】
【０００５】
ところで、先例に示した配管構造を現場で施工しようとする場合には、先に固定された器具継手またはヘッダーに長尺状のポリブテン管や架橋ポリエチレン管を所定の長さにカットしてから接続するのが一般的であった。
配管は長尺の巻き管で現場納入されるケースが一般的であるが、現場の中で持ち運びをしたり敷設作業をする際に、床や他の部位に接触が避けられないために、配管の外面に傷が付き易いものであった。
【０００６】
特にポリブテン管や架橋ポリエチレン管は柔軟性を有する材料である事から、引きずったりした場合には、外面での傷付きは容易に発生するものであった。
また、昨今のワンプッシュ継手においては、止水機能をＯリングによるものが主流であり、パイプの接続箇所に傷があるとシール不良となる虞がある。
【０００７】
本発明は、上記問題を解決すべく成されたもので、従来懸念されていたシール不良の発生を回避可能で、かつ現場での施工が容易なヘッダーユニットを提供することが目的である。
【課題を解決するための手段】
【０００８】
本発明は上記事実に鑑みてなされたものであって、請求項１に記載のヘッダーユニットは、流入された流体を分岐配分するヘッダー本体と、分岐管と、を備え、前記分岐管は、一端が前記ヘッダー本体に接続され、他端が前記分岐管を挿入することで接続が完了される第１のワンプッシュ継手に接続されている、ことを特徴としている。
【０００９】
次に、請求項１に記載のヘッダーユニットの作用を説明する。
請求項１に記載のヘッダーユニットでは、予め分岐管の一端がヘッダー本体に接続され、他端が第１のワンプッシュ継手に接続されているので、従来のように、傷付いた分岐管を施工現場にてヘッダー本体やワンプッシュ継手に接続する際に懸念となるシール不良を回避でき、また、施工現場での接続作業を減らすことができる。
さらに、従来の完全組立型のプレハブ配管では、配管が繋がったまま継手を所定の位置に固定しなくてはならなかったが、本発明においては器具側の継手またはヘッダーが現場納入段階において独立しているため、所定の位置への固定作業が簡便となる。
【００１０】
請求項２に記載の発明は、請求項１に記載のヘッダーユニットにおいて、前記ヘッダー本体には、前記分岐管の一端を挿入することで接続が完了されるワンプッシュ継手部が設けられており、前記分岐管は、一端がワンプッシュ継手部に挿入されて前記ヘッダー本体と接続されている、ことを特徴としている。
【００１１】
次に、請求項２に記載のヘッダーユニットの作用を説明する。
請求項２に記載のヘッダーユニットでは、ヘッダー本体にワンプッシュ継手部が設けられているので、工場、工務店等で分岐管をヘッダー本体に接続する場合、分岐管をワンプッシュ継手部に挿入するだけでヘッダー本体と分岐管の接続を完了でき、カシメや融着にて接続する場合に比較して組立効率が向上する。
【００１２】
請求項３に記載の発明は、請求項１に記載のヘッダーユニットにおいて、前記ヘッダー本体は、分岐配分された流体を排出する分岐排出管を備え、前記分岐管の一端には、一端側に前記分岐管の一端を挿入することで前記分岐管との接続が完了し、他端側に前記分岐排出管を挿入することで前記分岐排出管との接続が完了する第２のワンプッシュ継手部が配置され、前記分岐管は、前記第２のワンプッシュ継手部を介して前記ヘッダー本体に接続されている、ことを特徴としている。
【００１３】
次に、請求項３に記載のヘッダーユニットの作用を説明する。
請求項３に記載のヘッダーユニットは、請求項２のヘッダーユニットとは異なり、ヘッダー本体に分岐管を接続するためのワンプッシュ継手部が設けられておらず、ワンプッシュ継手部の代わりとして分岐排出管が設けられている。分岐管をヘッダー本体の分岐排出管に直接的に接続することはできないため、請求項３のヘッダーユニットでは分岐管とヘッダー本体との接続に第２のワンプッシュ継手部を用いており、予め工場、工務店等で分岐管をヘッダー本体に接続する際には、分岐管、及び分岐排出管を第２のワンプッシュ継手部に挿入するだけでヘッダー本体と分岐管との接続を完了できる。したがって、カシメや融着にて接続する場合に比較して組立効率が向上する。
【発明の効果】
【００１４】
以上説明したように本発明のヘッダーユニットによれば、従来懸念されていたシール不良の発生を回避可能でき、現場での施工も容易になる、という優れた効果を有する。
【発明を実施するための最良の形態】
【００１５】
［第１の実施形態］
図１は、いわゆるワンプッシュタイプのヘッダー基体１０の一部断面図であり、図２はヘッダー基体１０を用いたヘッダーユニット３２の全体構成図である。
図１に示すように、Ｔ字状をなしているヘッダー基体１０の内部にはＴ字状をなしている流路１２を備え、流路１２には段部１４が２箇所形成されている。
【００１６】
ヘッダー基体１０では、Ｏリング１６、パイプ保持リング１８がヘッダー基体１０の段部１４の形成されている側に設けられた円筒状の先端部２０に内蔵され、これらを覆うようにキャップ２２が先端部２０の外側のねじ部に螺着されている。
また、ヘッダー基体１０の他の流路端には、先端部２０側の流路１２に挿入可能な円筒状のパイプ部２４が形成されている。
なお、ヘッダー基体１０としては、図１に示すＴ字形状をなすものの他に、図２に示すようなＬ字形状をなすものもある。
したがって、Ｔ字形状をなすヘッダー基体１０、及びＬ字形状をなすヘッダー基体１０を用い、図２に示すようにパイプ部２４に、先端がテーパー形状とされた金属製のサポートスリーブ２９を装着して、キャップ２２側より順次差し込んでヘッダー本体２６が完成する。なお、サポートスリーブ２９の先端がテーパー形状とされているため、差込をスムーズに行える。
【００１７】
パイプ部２４をキャップ２２側より差し込むと（即ち、ワンプッシュ）、差し込まれたパイプ部２４の外表面にＯリング１６が接触し、更にパイプ保持リング１８の爪部１８Ａがパイプ部２４の外表面に食い込んでパイプ部２４の抜けを阻止する構造となっている。
同様に、樹脂製の分岐管２８の一端をキャップ２２側より差し込むと（即ち、ワンプッシュ）、差し込まれた分岐管２８の外表面にＯリング１６が接触し、更にパイプ保持リング１８の爪部１８Ａが分岐管２８の外表面に食い込んで分岐管２８の抜けが阻止される。
なお、分岐管２８を差し込む際には、サポートスリーブ２９を内挿するのが良く、これによって分岐管２８が内側より支持され、爪部１８Ａの食い込みを確実にすることができる。
【００１８】
図２の符号３０は、コネクターソケットであり、内部に直線状の流路（図示せず）が形成されており、その両端部に各々ヘッダー基体１０と同様の段部、Ｏリング、パイプ保持リング、先端部、及びキャップ２２が設けられている。
図２に示すように、ヘッダー本体２６に分岐管２８の一端を接続し、分岐管２８の他端に第１のコネクターソケット３０を接続してユニット化したものが本実施形態のヘッダーユニット３２である。
【００１９】
なお、第１のコネクターソケット３０は、例えば、器具に設けられている器具側継手３４，３６，３８の円筒状のパイプ部４０とワンプッシュで接続することができる。
また、本実施形態のヘッダーユニット３２は、ヘッダー基体１０、第１のコネクターソケット３０、及び所定の長さに切断された分岐管２８を用いて工場にて組み立てられている。なお、図２に示すように、器具側継手３４，３６，３８のパイプ部４０に、必要に応じてサポートスリーブ２９を装着しても良い。
【００２０】
(作用）
次に、本実施形態のヘッダーユニット３２の作用を説明する。
本実施形態のヘッダーユニット３２は、工場にて分岐管２８の一端がヘッダー本体２６に接続され、他端が第１のコネクターソケット３０に接続されているので、傷付いた分岐管２８を施工現場にてヘッダー本体２６や第１のコネクターソケット３０に接続する際に懸念となるシール不良を回避でき、また、施工現場での接続作業を減らすことができる。
なお、本実施形態のヘッダーユニット３２は、予め分岐管２８の一端がヘッダー本体２６に接続され、他端が第１のコネクターソケット３０に接続されているので、施工現場での配管の取り回しの際に管外面に傷が付いたとしても、接続部分の止水性に問題は生じない。
【００２１】
なお、このヘッダーユニット３２は、施工現場にて、器具側継手３４，３６，３８のパイプ部４０とワンプッシュで接続することができる。さらに、パイプ部４０を金属製とすれば、パイプ部４０自体の傷付きが低減され、器具との接続部分においても漏水リスクを低減することができる。
また、このヘッダーユニット３２は、施工現場にて、供給側の樹脂製の配管４２とワンプッシュで接続することができる。なお、配管４２を接続する際には、分岐管２８と同様にサポートスリーブ２９を内挿するのが良い。
【００２２】
［第２の実施形態］
次に、本発明の第２の実施形態に係るヘッダーユニット３２を図３にしたがって説明する。なお、第１の実施形態と同一構成には同一符号を付し、その説明は省略する。
図３に示すように、本実施形態のヘッダーユニット３２では、ヘッダー基体１０の形状が第１の実施形態とは異なっており、分岐管２８との接続側にも円筒状のパイプ部２４（本発明の分岐排出管）が形成されている。
そして、分岐管２８のヘッダー本体２６側の端部は、第１のコネクターソケット３０と同様の構造とされた第２のコネクターソケット４４を介してヘッダー本体２６のパイプ部２４と接続されている。
【００２３】
本実施形態においても、これらの接続作業を工場で行うことで、傷付いた分岐管２８を施工現場にてヘッダー本体２６や第２のコネクターソケット４４に接続する際に懸念となるシール不良を回避でき、また、施工現場での接続作業を減らすことができる。
【００２４】
［その他の実施形態］
上記実施形態では、分岐管２８を差し込むという操作のみで分岐管２８をヘッダー基体１０や第１のコネクターソケット３０に接続していたが、分岐管２８とヘッダー基体１０、及び分岐管２８と第１のコネクターソケット３０とは融着等、他の方法で接続しても良い。
上記実施形態では、ヘッダー基体１０の形状がＴ字形状、及びＬ字形状であったが、他の形状であっても良く、ヘッダー本体２６とするための連結方法は上記の実施形態のものに限らない。
上記実施形態のヘッダーユニット３２は工場で組み立てられていたが、シール不良を生じないように分岐管２８の外面への傷付きを防止できるのであれば工務店等、工場以外の場所で組み立てられていても良い。
なお、ヘッダー基体１０、及びヘッダー本体２６の構成は上記実施形態のものに限らず、分岐管２８が接続できていれば内部構造、材質等は問わない。
【図面の簡単な説明】
【００２５】
【図１】ヘッダー基体の一部断面図である。
【図２】第１の実施形態に係るヘッダーユニットの全体構成図である。
【図３】第２の実施形態に係るヘッダーユニットの全体構成図である。
【符号の説明】
【００２６】
２４    スリーブ（分岐排出管）
２６    ヘッダー本体
２８    分岐管
３０    第１のコネクターソケット（第１のワンプッシュ継手）
３２    ヘッダーユニット
４４    第２のコネクターソケット（第２のワンプッシュ継手）
【図１】
2009256940.tif 000003
【図２】
2009256940.tif 000004
【図３】
2009256940.tif 000005